(57)【要約】【課題】撮影者が自由に重視する測距点を設定でき、且つ撮影者が設定した測距点に主要被写体が存在しない場合であってもシャッタチャンスを逃すことがないカメラの焦点検出装置を提供すること。【解決手段】ダイナミックシングルターゲットモードにおいて、撮影者によって選択された測距点グループ２０２内でまずセンサデータの信頼性が判定される。この信頼性判定の結果、測距点グループ２０２内に、信頼性の高い測距点が存在する場合には、測距点グループ２０２内の測距点が選択され、選択された測距点におけるデフォーカス量に従って合焦駆動が行われる。また、信頼性判定の結果、測距点グループ２０２内に、信頼性の高い測距点が存在しない場合には、測距点グループ２０２外の測距点が選択され、選択された測距点におけるデフォーカス量に従って合焦駆動が行われる。【選択図】図６
2009128438.tif 000002
【特許請求の範囲】
【請求項１】
合焦動作が可能な撮影光学系と、
撮影画面内に配置された複数の測距点の各々に対応する被写体像の焦点状態を検出する測距部と、
前記複数の測距点の内で、２つ以上の測距点をグループとして選択するためのグループ選択部と、
前記選択されたグループ内で、前記測距部による前記被写体像の焦点状態の検出が可能であった測距点を判定する判定部と、
前記判定の結果、前記選択されたグループ内で前記被写体像の焦点状態の検出が可能な測距点が存在する場合には前記選択されたグループ内で測距点を選択し、前記選択されたグループ内で前記被写体像の焦点状態の検出が可能な測距点が存在しない場合には前記選択されたグループ外で測距点を選択する自動測距点選択部と、
を具備することを特徴とするカメラの焦点検出装置。
【請求項２】
前記自動測距点選択部は、前記選択されたグループ内で前記被写体像の焦点状態の検出が可能な測距点が存在する場合には、前記選択されたグループ内の測距点の中で測距結果が最至近の測距点を選択することを特徴とする請求項１に記載のカメラの焦点検出装置。
【請求項３】
前記自動測距点選択部は、前記選択されたグループ内で前記被写体像の焦点状態の検出が可能な測距点が存在し、且つ前記焦点状態の検出が可能な測距点に前記グループ内の中央の測距点が含まれている場合には、該中央の測距点を選択することを特徴とする請求項１に記載のカメラの焦点検出装置。
【請求項４】
前記自動測距点選択部は、前記選択されたグループ内で前記被写体像の焦点状態の検出が可能な測距点が存在しない場合には、前記グループ外の測距点の中で測距結果が最至近の測距点を選択することを特徴とする請求項１に記載のカメラの焦点検出装置。
【発明の詳細な説明】
【技術分野】
【０００１】
本発明は、複数の焦点検出領域を有するカメラの焦点検出装置に関する。
【背景技術】
【０００２】
従来、撮影画面内の複数の焦点検出領域（測距点）に対応した被写体像の焦点状態を検出可能な焦点検出装置が知られている。このような焦点検出装置において、特許文献１では、撮影画面内の中央の測距点を優先した測距点選択を行うことにより、主要被写体の存在確率の高い中央測距点を選択する可能性が高くなるようにしている。
【０００３】
また、特許文献２では、より撮影者の意図した測距点での焦点検出を行えるように、撮影画面内に設けられた測距点をグループ分けし、撮影者によって選択されたグループ内の測距点でのみ焦点検出を行うようにしている。これによって全測距点で焦点検出を行う必要がなくなるため、焦点検出を迅速に行うことができるようにもなる。
【特許文献１】特開平１−４８０５０号公報
【特許文献２】特開平８−２６２３１９号公報
【発明の開示】
【発明が解決しようとする課題】
【０００４】
ここで、特許文献１においては、中央の測距点を優先して測距点を選択している。しかしながら、主要被写体は必ずしも中央の測距点に存在しているとは限らず、この場合には撮影者が意図した被写体と異なる被写体に合焦する場合も考えられる。このため、測距点の選択には、より自由度があったほうが良い。例えば、主要被写体を左側に配置する構図を好むユーザによっては、中央部よりも、左側の測距点を優先して選択できたほうが良いと考えられる。
【０００５】
また、特許文献２においては、撮影者によって選択されたグループ内に被写体が存在しない場合、シングルＡＦ等のレリーズ優先がオフとなる設定においては、合焦不能によってレリーズ操作が行えなくなる。この場合、シャッタチャンスを逃してしまうおそれがある。
【０００６】
本発明は、上記の事情に鑑みてなされたもので、撮影者が自由に重視する測距点を設定でき、且つ撮影者が設定した測距点に主要被写体が存在しない場合であってもシャッタチャンスを逃すことがないカメラの焦点検出装置を提供することを目的とする。
【課題を解決するための手段】
【０００７】
上記の目的を達成するために、本発明の第１の態様のカメラの焦点検出装置は、合焦動作が可能な撮影光学系と、撮影画面内に配置された複数の測距点の各々に対応する被写体像の焦点状態を検出する測距部と、前記複数の測距点の内で、２つ以上の測距点をグループとして選択するためのグループ選択部と、前記選択されたグループ内で、前記測距部による前記被写体像の焦点状態の検出が可能であった測距点を判定する判定部と、前記判定の結果、前記選択されたグループ内で前記被写体像の焦点状態の検出が可能な測距点が存在する場合には前記選択されたグループ内で測距点を選択し、前記選択されたグループ内で前記被写体像の焦点状態の検出が可能な測距点が存在しない場合には前記選択されたグループ外で測距点を選択する自動測距点選択部とを具備することを特徴とする。
【発明の効果】
【０００８】
本発明によれば、撮影者が自由に重視する測距点を設定でき、且つ撮影者が設定した測距点に主要被写体が存在しない場合であってもシャッタチャンスを逃すことがないカメラの焦点検出装置を提供することができる。
【発明を実施するための最良の形態】
【０００９】
以下、図面を参照して本発明の実施形態を説明する。  
図１は、本発明の一実施形態に係る焦点検出装置を有するカメラの構成を示す図である。なお、図１のカメラは、レンズ交換式の一眼レフレックスカメラを想定して図示したものである。カメラ１００は、交換レンズ１０１とカメラボディ１１０とを有している。そして、交換レンズ１０１は、カメラボディ１１０の前面に設けられた図示しないカメラマウントを介してカメラボディに着脱自在に取り付けられている。
【００１０】
交換レンズ１０１は、フォーカスレンズ１０２と、レンズ駆動部１０３と、レンズＣＰＵ１０４とを備えている。
【００１１】
フォーカスレンズ１０２は、撮影光学系に含まれる焦点調節用のレンズであり、レンズ駆動部１０３に設けられるモータによってその光軸方向（図２の矢印Ａで示す方向）に駆動される。なお、実際の撮影光学系は、複数のレンズから構成されているが、図２ではフォーカスレンズ１０２のみを図示している。レンズ駆動部１０３は、モータ、モータドライバ、レンズ駆動機構等から構成されている。そして、レンズＣＰＵ１０４の制御に従ってフォーカスレンズ１０２を駆動させる。
【００１２】
レンズＣＰＵ１０４は、レンズ駆動部１０３の制御等の交換レンズ１０１の各部の制御を行う制御回路である。レンズＣＰＵ１０４は、交換レンズ１０１がカメラボディ１１０に装着されたときに、通信コネクタ１０５を介してカメラボディ１１０内のＡＦコントローラ１２２と通信可能に接続される。レンズＣＰＵ１０４からＡＦコントローラ１２２には、レンズＣＰＵ１０４の図示しないメモリ内に予め記憶されている、フォーカスレンズの製造ばらつき情報やフォーカスレンズの収差情報などのレンズデータが送信される。
【００１３】
カメラボディ１１０は、メインミラー１１１と、フォーカシングスクリーン１１２、ペンタプリズム１１３、接眼レンズ１１４からなるファインダ光学系と、サブミラー１１５と、コンデンサレンズ１１６、全反射ミラー１１７、セパレータ絞り１１８、セパレータレンズ１１９からなるＡＦ光学系と、温度検出部１２０と、焦点検出用（ＡＦ）センサ１２１と、ＡＦコントローラ１２２と、システムコントローラ１２３と、撮像素子１２４と、表示部１２５と、記録部１２６と、操作部１２７と、補助光発光部１２８とを備えている。
【００１４】
メインミラー１１１は、回動可能に構成され、その中央部がハーフミラーで構成されたミラーである。メインミラー１１１は、ダウン位置（図示位置）にあるときに、交換レンズ１０１を介してカメラボディ１１０内に入射する図示しない被写体からの光束の一部を反射し、一部を透過させる。フォーカシングスクリーン１１２は、メインミラー１１１で反射された光束が結像される。ペンタプリズム１１３は、フォーカシングスクリーン１１２に結像された被写体像を正立像として、接眼レンズ１１４に入射させる。接眼レンズ１１４はペンタプリズム１１３からの被写体像をユーザが観察可能なように拡大する。このようにして、図示しない被写体の状態を観察することができる。
【００１５】
サブミラー１１５は、メインミラー１１１のハーフミラー部の背面に設置され、メインミラー１１１のハーフミラー部を透過した光束をＡＦ光学系の方向に反射する。なお、メインミラー１１１がアップ位置にある時には、サブミラー１１５は折り畳まれるようになっている。
【００１６】
ＡＦ光学系のコンデンサレンズ１１６は、サブミラー１１５で反射され、１次結像面上に結像した光束を集光して全反射ミラー１１７の方向に入射させる。全反射ミラー１１７は、コンデンサレンズ１１６からの光束をＡＦセンサ１２１の側に反射させる。セパレータ絞り１１８はＡＦセンサ１２１の前面に配され、全反射ミラー１１７からの光束を２像分割する。セパレータレンズ１１９はセパレータ絞り１１８で２像分割された光束を集光してＡＦセンサ１２１に再結像させる。ＡＦセンサ１２１は、例えばフォトダイオードからなる画素が配列されて構成され、セパレータ絞り１１８、セパレータレンズ１１９によって２像分割された被写体像を電気信号に変換する。ここで、ＡＦセンサ１２１は、撮影視野内の複数のフォーカス検出エリアにおける焦点状態を検出可能なように構成されている。なお、ＡＦ光学系、ＡＦセンサについては後でさらに説明する。
【００１７】
ＡＦコントローラ１２２は、ＡＦセンサ１２１から、２像分割された被写体像に対応した電気信号を読み出し、読み出した電気信号より、被写体像の２像間隔値を例えば相関演算によって算出する。さらに、算出した２像間隔値から、対応する焦点検出領域（測距点）のデフォーカス量を算出し、この算出したデフォーカス量をレンズＣＰＵ１０４に送信する。レンズＣＰＵ１０４は、このデフォーカス量に基づいてレンズ駆動部１０３を制御してフォーカスレンズ１０２の合焦駆動を行う。
【００１８】
システムコントローラ１２３は、ＡＦコントローラ１２２の制御や、撮像素子１２４で得られた画像信号の処理、表示部１２５の表示制御や記録部１２６への画像の記録制御等の図１のカメラの全体の動作を制御する。
【００１９】
撮像素子１２４は、メインミラー１１１がアップ位置（図２に示す光軸上から退避する位置）にあるときに、フォーカスレンズ１０２を介して結像される被写体像を電気信号に変換する。撮像素子１２４において被写体像が電気信号に変換された場合、システムコントローラ１２３は、撮像素子１２４で得られた電気信号に対して種々の画像処理を施す。その後、システムコントローラ１２３は、画像処理によって得られる画像を表示部１２５に表示させたり、記録部１２６に格納したりする。表示部１２５は、例えば液晶ディスプレイ等の表示部であり、システムコントローラ１２３の制御に従って各種の画像を表示する。記録部１２６は、例えばカメラボディ１１０に着脱自在に構成されたメモリカードであり、画像処理された画像等の各種データが記録される。
【００２０】
操作部１２７は、ＡＦ開始の指示及び撮像開始の指示をシステムコントローラ１２３に与えるためのレリーズボタンや、後述するＡＦ制御の際の測距点グループの選択等の各種の選択操作を行うための選択ボタン等の各種の操作部材である。補助光発光部１２８は、被写体の輝度が低い等の理由でＡＦが不能な場合に、システムコントローラ１２３の制御に従ってＡＦ用の補助光を発光する。補助光発光部１２８は、例えば発光ダイオード（ＬＥＤ）等から構成される。
【００２１】
ここで、ＡＦ光学系及びＡＦセンサについて更に詳しく説明する。図２（ａ）は、ＡＦ光学系の２次結像系を模式的に示した図である。ここで、図２（ａ）における破線は１次結像面を示し、一点鎖線はＡＦ光学系の光路を示している。
【００２２】
図２（ａ）に示すように、セパレータレンズ１１９の後方にはＡＦセンサ１２１が配置されている。本実施形態におけるＡＦセンサ１２１は、横線検出センサ列１２１ａと縦線検出センサ列１２１ｂとが十字形状に配置されて構成されている。
【００２３】
図２（ｂ）はフォーカスレンズ１０２からＡＦセンサに至る光束の様子を図示したものである。ここで、図２（ｂ）では、光路の折り返しのための全反射ミラー１１７の図示を省略している。また、光束については撮影画面の横方向に関する焦点状態を検出するための横線検出光束のみを図示し、横線検出光束と直交する縦線検出光束については図示を省略している。なお、以下の説明は横線検出光束を対象としているが、縦線検出光束の場合も同様である。
【００２４】
図２（ｂ）において、フォーカスレンズ１０２の異なる射出瞳を通過した１対の横線検出光束は、サブミラー１１５で反射された後、コンデンサレンズ１１６に入射してそれぞれ集光される。そして、集光された１対の横線検出光束が全反射ミラー１１７において反射された後、セパレータ絞り１１８を介してセパレータレンズ１１９に入射する。さらに、セパレータレンズ１１９にそれぞれ入射した横線検出光束が、図２（ａ）に示すようにして上下方向に配置された横線検出センサ列１２１ａの特定領域（アイランド）に結像する。
【００２５】
次に、ＡＦセンサ１２１の回路構成について述べる。この回路は、横線検出光束に対しては横線検出センサ列１２１ａの一方を基準部、他方を参照部として機能させる。また、縦線検出光束に対しては縦線検出センサ列１２１ｂの一方を基準部、他方を参照部として機能させる。
【００２６】
本実施形態におけるＡＦセンサ１２１は、例として図３（ａ）に示す１５点の焦点検出領域（測距点）についての焦点状態を検出可能に構成されている。このような１５点の測距点の焦点状態を検出するためのセンサ列の配置例を図３（ｂ）に示す。
【００２７】
即ち、横線検出センサ列１２１ａは５対のセンサ列が互いに平行にかつ等間隔に配置されて構成されている。また、縦線検出センサ列１２１ｂは、３対のセンサ列が互いに平行にかつ等間隔に配置された構成されている。
【００２８】
図３（ｂ）のようなセンサ列の配置に対し、例えば図３（ａ）の測距点Ａに対応する被写体像に基づく光束は図３（ｂ）のＡで示す領域（アイランド）内の画素に結像する。また、図３（ａ）の測距点Ｂに対応する被写体像に基づく光束は図３（ｂ）のＢで示す領域（アイランド）内の画素に結像する。
【００２９】
このような構成のＡＦセンサ１２１からの電気信号はＡＦコントローラ１２２に入力される。ＡＦコントローラ１２２は、ＡＦセンサ１２１から入力された信号をＡＦコントローラ１２２に内蔵された図示しないＡ／Ｄ変換器にてデジタル信号に変換した後、内部のメモリにデータ（センサデータ）として保持する。その後、ＡＦコントローラ１２２は、保持したセンサデータに基づいて各測距点の焦点状態を検出する。この焦点状態の検出は、例えば相関演算の手法を用いて行う。
【００３０】
次に、ＡＦ時の制御動作について説明する。図４は、本実施形態におけるＡＦ時の制御動作について示したフローチャートである。
【００３１】
ＡＦに先立って、まずシステムコントローラ１２３は、撮影者に測距点選択モードを選択させる（ステップＳ１）。本実施形態では、例としてシングルターゲットモード、オールターゲットモード、ダイナミックシングルターゲットモードの中から何れかの測距点選択モードを選択可能である。
【００３２】
シングルターゲットモードは、ＡＦコントローラ１２２において算出される各測距点のデフォーカス量の内で、予め撮影者によって選択された測距点のデフォーカス量を選択して合焦駆動を行うモードである。また、オールターゲットモードは、ＡＦコントローラ１２２において算出される各測距点のデフォーカス量の中で信頼性が高く、且つ被写体が最至近に存在する測距点のデフォーカス量を選択して合焦駆動を行うモードである。さらに、ダイナミックシングルターゲットモードは、撮影者によって選択されたグループ内の測距点のデフォーカス量を基本的に用い、グループ内の測距点で測距不可である場合に、グループ外の測距点のデフォーカス量を用いて合焦駆動を行うモードである。なお、ダイナミックシングルターゲットモードについては後で詳しく説明する。
【００３３】
ステップＳ１において、撮影者により測距点選択モードが選択された場合、システムコントローラ１２３は、撮影者により選択された測距点選択モードがシングルターゲットモード又はダイナミックシングルターゲットモードであるかを判定する（ステップＳ２）。ステップＳ２の判定において、測距点選択モードがシングルターゲットモード又はダイナミックシングルターゲットモードである場合に、システムコントローラ１２３は、撮影者に測距点又は測距点グループを選択させる（ステップＳ３）。その後、ステップＳ４以後のＡＦを実行するようにＡＦコントローラ１２２に指示する。また、ステップＳ２の判定において、測距点選択モードがオールターゲットモードである場合に、システムコントローラ１２３は、ステップＳ３の処理をスキップして、ステップＳ４以後のＡＦを実行するようにＡＦコントローラ１２２に指示する。
【００３４】
システムコントローラ１２３からのＡＦ実行の指示を受けて、ＡＦコントローラ１２２は、まず、ＡＦセンサ１２１の出力信号から、各測距点のセンサデータを取得して図示しないメモリに記憶させる（ステップＳ４）。
【００３５】
次に、ＡＦコントローラ１２２は、相関演算を行う（ステップＳ５）。ここでの相関演算は、例えば、基準部と参照部とで対をなすセンサ列間に入射した２像の間隔値を算出するための演算である。
【００３６】
ここで、相関演算結果の信頼性が低い場合には、誤ったデフォーカス量が算出されるおそれがあるので、ＡＦコントローラ１２２は、デフォーカス量の算出を行うのに先立って相関演算に用いられたセンサデータの信頼性を判定する（ステップＳ６）。その後、ＡＦコントローラ１２２は、相関演算の結果から相関値が最も小さくなるような２像間隔値を算出する（ステップＳ７）。そして、ＡＦコントローラ１２２は、算出した２像間隔値から、光学的に算出されたデフォーカス係数によりデフォーカス量を算出する（ステップＳ８）。
【００３７】
デフォーカス量の算出後、ＡＦコントローラ１２２は、カメラの測距点選択モードに応じて測距点の選択を行う（ステップＳ９）。即ち、測距点選択モードがシングルターゲットポイントモードの場合には、撮影者によって指定された測距点を使用する。また、測距点選択モードがオールターゲットモードの場合には、全測距点の中で信頼性の高いセンサデータを出力する測距点を抽出し、その中でさらに、最至近の測距点を選択する。ダイナミックシングルターゲットモードの場合については後述する。
【００３８】
次に、ＡＦコントローラ１２２は、ステップＳ１０において、測距点選択が行えたかを判定する（ステップＳ１０）。例えば、ステップＳ６の信頼性判定において、信頼性の高い測距点がない場合には、測距点選択が行えなかったと判定する。ステップＳ１０の判定において、測距点選択が行えなかった場合に、ＡＦコントローラ１２２は、システムコントローラ１２３にその旨を通知する。システムコントローラ１２３は、現在、補助光発光部１２８が未発光であるかを判定する（ステップＳ１１）。ステップＳ１１の判定において、補助光発光部１２８が発光済みである場合に、システムコントローラ１２３は、ＡＦコントローラ１２２に対してスキャンＡＦの実行を指示する（ステップＳ１２）。一方、ステップＳ１１の判定において、補助光発光部１２８が未発光である場合に、システムコントローラ１２３は、補助光発光部１２８に対して補助光の発光を指示する（ステップＳ１３）。その後、ＡＦコントローラ１２２に対して再度のデフォーカス量の演算を指示する。
【００３９】
スキャンＡＦを行った場合に、ＡＦコントローラ１２２は、スキャンＡＦの結果、測距が正しく行えるかを判定する（ステップＳ１４）。ステップＳ１４の判定において、測距が正しく行える場合には、ステップＳ４に戻って再度のデフォーカス量の演算を実行する。一方、ステップＳ１４の判定において、測距が正しく行えない場合には、最終的に測距ＮＧと判断する。この場合には、ＡＦコントローラ１２２は、システムコントローラ１２３に測距が正しく行えなかった旨を通知する。これを受けてシステムコントローラ１２３は、例えばファインダ内に合焦不可の表示を行って（ステップＳ１５）、図４に示す処理を終了させる。
【００４０】
一方、ステップＳ１０の判定において、測距点の選択が正しく行えた場合に、ＡＦコントローラ１２２は、選択された測距点におけるデフォーカス量に対し、温度補正や、製造時のカメラボディ１１０のばらつきの補正、製造時のフォーカスレンズ１０２のばらつきの補正等の各種補正処理を行って最終的なデフォーカス量を決定する（ステップＳ１６）。最終的なデフォーカス量を決定した後、ＡＦコントローラ１２２は、最終的なデフォーカス量が所定の合焦範囲内であるかを判定する（ステップＳ１７）。
【００４１】
ステップＳ１７の判定において、最終的なデフォーカス量が所定の合焦範囲内である場合に、ＡＦコントローラ１２２は、その旨をシステムコントローラ１２３に通知する。これを受けてシステムコントローラ１２３は、例えばファインダ内に合焦表示を行って（ステップＳ１８）、図４に示す処理を終了させる。一方、ステップＳ１７の判定において、最終的なデフォーカス量が所定の合焦範囲内でない場合に、ＡＦコントローラ１２２は、算出したデフォーカス量をレンズＣＰＵ１０４に送信する。この送信されたデフォーカス量に基づいてレンズＣＰＵ１０４がレンズ駆動部１０３を制御することにより、フォーカスレンズ１０２の合焦駆動が行われる（ステップＳ１９）。この合焦駆動は、ステップＳ１７において、デフォーカス量が合焦範囲内となるまで繰り返される。
【００４２】
次に、ダイナミックシングルターゲットモードの場合の測距点選択について説明する。図５は、ダイナミックシングルターゲットモード時の測距点選択の処理について示したフローチャートである。
【００４３】
図５において、まず、ＡＦコントローラ１２２は、撮影者によって選択されたグループ内の中央部の測距点におけるセンサデータの信頼性が高いかを判定する（ステップＳ２１）。ステップＳ２１の判定において、中央部の測距点におけるセンサデータの信頼性が高い場合に、ＡＦコントローラ１２２は、グループ内の中央部の測距点を選択する（ステップＳ２２）。
【００４４】
また、ステップＳ２１の判定において、中央部の測距点におけるセンサデータの信頼性が低い場合に、ＡＦコントローラ１２２は、グループ内の中央部以外の測距点において、センサデータの信頼性の高い測距点があるかを判定する（ステップＳ２３）。ステップＳ２３の判定において、グループ内の中央部以外の測距点において、センサデータの信頼性の高い測距点がある場合に、ＡＦコントローラ１２２は、その信頼性の高い測距点を抽出する（ステップＳ２４）。その後、ＡＦコントローラ１２２は、抽出した測距点の中で被写体距離が最も短い、即ち最至近の測距点を選択する（ステップＳ２５）。
【００４５】
また、ステップＳ２４の判定において、グループ内の中央部以外の測距点において、センサデータの信頼性の高い測距点がない場合に、ＡＦコントローラ１２２は、撮影者によって選択されたグループ外の測距点において、センサデータの信頼性の高い測距点を抽出する（ステップＳ２６）。その後、ＡＦコントローラ１２２は、抽出した測距点の中で被写体距離が最も短い、即ち最至近の測距点を選択する（ステップＳ２７）。なお、グループ外の測距点において、センサデータの信頼性の高い測距点がない場合には、図４のステップＳ１０の判定において、測距点の選択が不可であったと判定する。
【００４６】
図５の動作を、図６を参照して説明する。図６は、撮影画面２００に１５個の測距点２０１が配置されている状態で、撮影者により測距点グループ２０２が選択されたものとする。なお、測距点グループの形状は、図６に示した形状に限らず、撮影者によって任意に設定されるものである。
【００４７】
まず、測距点グループ２０２内の中央部の測距点２０２ｃにおけるセンサデータの信頼性が高いかの判定が行われる。そして、測距点２０２ｃにおけるセンサデータの信頼性が高い場合には、測距点２０２ｃが選択される。この測距点グループ２０２の中央部の測距点２０２ｃは、撮影者が優先して焦点を合わせたいと考えている範囲内で最も主要被写体の存在確率が高い測距点である。したがって、測距点２０２ｃにおけるセンサデータの信頼性が高い場合には、測距点２０２ｃが優先して選択されるようにする。
【００４８】
また、測距点グループ２０２の中央部の測距点２０２ｃのセンサデータの信頼性が低い場合には、この測距点に対して合焦駆動を行ってしまうと、誤った合焦駆動がなされるおそれがある。そこで、測距点グループ２０２の中央部の測距点２０２ｃ以外の測距点２０２ｂについてセンサデータの信頼性が高いかの判定が行われる。そして、測距点グループ２０２内のセンサデータの信頼性の高い測距点の内で最至近のものが選択される。測距点グループ２０２の内部の測距点であれば、撮影者の意図を十分に反映していると考えられるので、測距点２０２ｃのセンサデータの信頼性が低い場合でも測距点グループ２０２内の測距点が選択されるようにする。
【００４９】
また、測距点グループ２０２の内部の全ての測距点におけるセンサデータの信頼性が低い場合には、測距点グループ２０２外でセンサデータの信頼性の高い測距点のうちで最至近のものが選択される。この場合は、撮影者の意図している被写体と異なる場合も考えられるが、シャッタチャンスを逃さないように、合焦駆動を行ってレリーズ操作を可能とする。
【００５０】
以上説明したように、本一実施形態によれば、測距点グループの設定によって、撮影者が自由に重視する測距点を設定でき、且つ撮影者が設定した測距点に主要被写体が存在しない場合であってもセンサデータの信頼性の高い測距点に存在する被写体に合焦駆動が行われるので、シャッタチャンスを逃すことがない。
【００５１】
以上実施形態に基づいて本発明を説明したが、本発明は上述した実施形態に限定されるものではなく、本発明の要旨の範囲内で種々の変形や応用が可能なことは勿論である。
【００５２】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００５３】
【図１】本発明の一実施形態に係る焦点検出装置を有するカメラの構成を示す図である。
【図２】図２（ａ）はＡＦ光学系の２次結像系を模式的に示した図であり、図２（ｂ）はフォーカスレンズからＡＦセンサに至る光束の様子を図示したものである。
【図３】図３（ａ）は第１の実施形態に係る焦点検出装置が焦点状態を検出可能な測距点配置の例を示す図であり、図３（ｂ）は図３（ａ）に示す測距点の焦点状態を検出するためのセンサ列の配置例を示す図である。
【図４】本発明の一実施形態におけるＡＦ時の制御動作について示したフローチャートである。
【図５】ダイナミックシングルターゲットモード時の測距点選択の処理について示したフローチャートである。
【図６】ダイナミックシングルターゲットモード時の測距点選択について説明するための図である。
【符号の説明】
【００５４】
１００…カメラ、１０１…交換レンズ、１０２…フォーカスレンズ、１０３…レンズ駆動部、１０４…レンズＣＰＵ、１０５…通信コネクタ、１１０…カメラボディ、１１１…メインミラー、１１２…フォーカシングスクリーン、１１３…ペンタプリズム、１１４…接眼レンズ、１１５…サブミラー、１１６…コンデンサレンズ、１１７…全反射ミラー、１１８…セパレータ絞り（セパレータ絞り）、１１９…セパレータレンズ（セパレータレンズ）、１２０…温度検出部、１２１…焦点検出用（ＡＦ）センサ、１２２…ＡＦコントローラ、１２３…システムコントローラ、１２４…撮像素子、１２５…表示部、１２６…記録部、１２７…操作部、１２８…補助光発光部
【図１】
2009128438.tif 000003
【図２】
2009128438.tif 000004
【図３】
2009128438.tif 000005
【図４】
2009128438.tif 000006
【図５】
2009128438.tif 000007
【図６】
2009128438.tif 000008